(57)【要約】【課題】本発明の課題は、レンチキュラー板、立体視用合成画像シート、遊技基板より構成される立体視可能な遊技盤において、前記遊技基板を合成樹脂製として照明を容易に行うことを目的とする。【解決手段】レンチキュラー板１３の裏面に複数の画像を合成した立体視用合成画像シート１２を接着し、立体視用合成画像シート１２の裏面にはＡＢＳ樹脂２１を含む保護層１７を塗着し、射出成形機２０によって光拡散材を混入したＡＢＳ樹脂２１を型内に注入して保護層１７の裏面に遊技基板２ｂを溶着し、レンチキュラー板１３、立体視用合成画像シート１２、保護層１７、遊技基板２ｂを一体とした遊技盤１を製作する。【選択図】　　　　図１４
2004065732.tif 000002
【特許請求の範囲】
【請求項１】
遊技基板の前面に立体視用合成画像を写した立体視用合成画像シートを固着し、該立体視用合成画像シート前面にレンチキュラー板を固着して前記立体視用合成画像シートに描かれた図柄を立体視可能とし、レンチキュラー板の前面側から多数の釘を打設したり、遊技部品を取り付けるための貫通孔を設ける遊技機の立体視可能な遊技盤において、成形機で複数の遊技部品取付用の貫通孔を設けたレンチキュラー板を成形する工程と、成形されたレンチキュラー板の平らな面である裏面に、レンチキュラー板に設けられた遊技部品取付用の孔に重なる部分を切除した立体視用合成画像シートを固着する工程と、該立体視用合成画像シートの裏面に立体視用合成画像シートを保護する透明の保護層を塗着する工程と、成形機によってレンチキュラー板及び立体視用合成画像シートの裏面に塗着された前記保護層に遊技部品取付用の孔を配設する合成樹脂層の遊技基板を溶着する工程から構成されることを特徴とする遊技機の立体視可能な遊技盤。
【請求項２】
上記保護層の裏面に配設される透明な合成樹脂内に光拡散材が混入されているように構成されていることを特徴とする請求項１記載の遊技機の立体視可能な遊技盤。
【請求項３】
上記保護層の裏面に所定の厚みを有して配設される遊技基板において、透明な合成樹脂層の厚みを薄くし、前記所定の厚さに至るまで、透明な合成樹脂層の裏面に非透光色の合成樹脂層を配設するように構成したことを特徴とする請求項１記載の遊技機の立体視可能な遊技盤。
【請求項４】
上記保護層の裏面に配設され遊技基板を構成する前項記載の非透光色の合成樹脂層の前端部に、側面発光型の光ファイバーを挿入可能な複数の溝をレンチキュラー板の裏面に平行に設けられるように構成したことを特徴とする請求項１記載の遊技機の立体視可能な遊技盤。
【発明の詳細な説明】
【０００１】
【発明が属する技術分野】
本発明は、遊技機の立体視可能な遊技盤に関し、より詳しくはレンチキュラー板と一体となった遊技盤に関する。
【０００２】
【従来の技術】
パチンコ機、パチスロ機等の遊技機の遊技盤１は、遊技基板２の前面に図柄を印刷した透明の装飾シート３を接着剤４で貼り合わせて両者を一体とするとともに、外レール（図示せず）及び内レール５を設置し、これらレールの内側である遊技領域６において、透光性を有する装飾シート３の前方側から釘、（図示せず）風車７、入賞装置８、表示ランプ９等の遊技部品を取り付けている。即ち、前記遊技基板２は天然木材の一枚板や複数の板を貼り合わせた合板が多く用いられて、これら木製の遊技基板２ａは、上記遊技部品の取付用の孔加工や釘の打ち込みが容易であり、強度耐久性にも優れているため、広く使用されている。遊技基板２には遊技部品の取付用の孔１０が加工され、この遊技基板２ａの前面に、遊技基板２ａに設けた遊技部品取付用の孔１０と重なる箇所に該孔１０と同じ大きさに設けた切除部１１を配置し、遊技領域６を装飾するための図柄を印刷した透光性を有する装飾シート３を貼付する。
【０００３】
上記した遊技盤１を構成する装飾シート３には、遊技盤１の全域或いは遊技盤１の所定の位置に遊技機の商品名やキャラクター等の図柄が描かれて遊技領域６内を装飾する。しかしながら、この装飾を目的とする図柄は、装飾シート３に平面的な図柄を印刷したものであるので、面白味に欠け、装飾するという役目を発揮していなかった。
【０００４】
近時、遊技者の興趣を高めるため、遊技基板２の前面に複数の視差のある画像を写した立体視用合成画像シート１２を貼り付け、立体視用合成画像シート１２の前面に、該立体視用合成画像シート１２にレンズ１４のピッチＰを合わせたレンチキュラー板１３を配置することが行われている。図６に示すように、レンチキュラー板１３は円柱周面形状（シリンドリカル形状）とした縦方向にわたるレンズ１４を複数枚並設して板状としたものである。レンチキュラー板１３の裏面に図示しない接着剤（或いは両面テープ）で接着された前記立体視用合成画像シート１２には、左右の複数の方向から撮影して得られた視差のある複数枚（二枚またはそれ以上）の原画像を分割し、線状に圧縮して合成された一つの合成画像が写されている。上記立体視用合成画像シート１２は、接着剤１５によって木製の遊技基板２ａに接着される。
【０００５】
遊技者が、遊技機の前に設置されている椅子に座って前記遊技基板２ａに貼付された立体視用合成画像シート１２を見ると、例えば右眼で画像αを、左眼で画像βを見ることになる。図柄を立体視するのに必要な合成画像は、二像またはそれ以上の原画像から合成されていて、前記画像αと画像βとは異なる画像であり、それらの間では、立体視に必要な視差が含まれているから、遊技者は立体感のある図柄を見ることができる（図５）。
【０００６】
【発明が解決しようとする課題】
従来において、レンチキュラー板の裏面に合成画像シートの表面を貼付し、合成画像シートの裏面に木製の遊技基板を貼付して遊技盤を構成する。遊技者は遊技を行う際に、合成画像シートに描かれた図柄を立体視できる。この立体感のある図柄をより明瞭に見せるために、合成画像シートの裏面に光源を配置することが提案されている（特開平４−３２２６５７号）。しかし、従来の遊技基板は上述したように木製であり、遊技基板の最も機台前方側に溝を設けて配置しなければならず、そうすると光源の前方のわずかな箇所しか光が当たらず、多くの光源が必要となる。また、遊技基板が木製であるので、遊技基板に含まれる湿気が立体視用合成画像シートの裏面に付くと、図柄を明瞭に見ることが出来ない場合を生じたり、或いは前記湿気が遊技基板と合成画像シートの接着箇所に浸透して接着不良を起こす等の問題を生じていた。
【０００７】
【課題を解決するための手段】
上記課題を解決するため本発明が採用した手段を以下に記載する。本発明請求項１記載の発明は、「遊技基板の前面に立体視用合成画像を写した立体視用合成画像シートを固着し、該立体視用合成画像シート前面にレンチキュラー板を固着して前記立体視用合成画像シートに描かれた図柄を立体視可能とし、レンチキュラー板の前面側から多数の釘を打設したり、遊技部品を取り付けるための貫通孔を設ける遊技機の立体視可能な遊技盤において、成形機で複数の遊技部品取付用の貫通孔を設けたレンチキュラー板を成形する工程と、成形されたレンチキュラー板の平らな面である裏面に、レンチキュラー板に設けられた遊技部品取付用の孔に重なる部分を切除した立体視用合成画像シートを固着する工程と、該立体視用合成画像シートの裏面に立体視用合成画像シートを保護する透明の保護層を塗着する工程と、成形機によってレンチキュラー板及び立体視用合成画像シートの裏面に塗着された前記保護層に遊技部品取付用の孔を配設する合成樹脂層の遊技基板を溶着する工程から構成されることを特徴とする遊技機の立体視可能な遊技盤」である。
【０００８】
「成形機で複数の遊技部品取付用の貫通孔を設けたレンチキュラー板を成形」とは、透明性に優れた熱可塑性プラスチックであるＰＭＭＡ（ポリメチルメタクリレート）を材料として、射出成形機でレンチキュラー板を製作することであり、該レンチキュラー板は成形時金型により、樹脂が及ばない箇所に遊技部品取付用の孔が設けられる。次いで「立体視用合成画像シートを固着する」とは、左右の複数の方向から撮影して得られた視差のある二枚または二枚以上の原画像を分割し、線状に圧縮して合成された一つの合成画像を写したシートをレンチキュラー板の裏面に、接着剤または両面テープで接着することである。
【０００９】
そして、「立体視用合成画像シートを保護する透明の保護層を塗着する」とは、透明色のＡＢＳ樹脂パウダーを立体視用合成画像シートの裏面にスプレーガン等で粉体塗装すること、或いは、立体視用合成画像シートの裏面にＡＢＳ樹脂を含有したインクを使用してシルク印刷を施すことで、これにより、立体視用合成画像シートの裏面に後述のＡＢＳ樹脂（ＰＥＴ樹脂でも可）を溶着しても立体視用合成画像シートが損傷することはない。
【００１０】
更に「保護層に遊技部品取付用の孔を配設する」とは、例えば、射出成形機の可動型にレンチキュラー板及びレンチキュラー板に貼り付けられた立体視用合成画像シートを固定しておき、射出成形機の固定型の空洞部分にＡＢＳ樹脂またはＰＥＴ樹脂を加圧注入して金型内で固化させることで、ＡＢＳ樹脂等が注入されない箇所が遊技部品取付用の孔となる。立体視用合成画像シート裏面に塗着された保護層とＡＢＳ樹脂（ＰＥＴ樹脂）が溶着して一体となる。
【００１１】
本発明請求項２記載の発明は、「上記保護層の裏面に配設される透明な合成樹脂内に光拡散材が混入されているように構成されていることを特徴とする請求項１記載の遊技機の立体視可能な遊技盤」である。
【００１２】
「光拡散材が混入」とは、例えば、炭酸カルシウム、酸化珪素、酸化アルミニウム、ガラス粉等の無機系材料やポリカーボネート樹脂、フッ素樹脂などの有機系材料をいい、これらを透明なＡＢＳ樹脂（アクリロニトリル・ブタジエンスチレン樹脂）、ＰＥＴ樹脂（ポリエチレンテレフタレート樹脂）に練り込まれた状態、若しくは図示はしないがＡＢＳ樹脂、ＰＥＴ樹脂内にＡＢＳ樹脂、ＰＥＴ樹脂と光拡散材を練り込んだ光拡散層を形成することである。ＡＢＳ樹脂、ＰＥＴ樹脂ともに釘の打ち込みが可能であり、遊技部品を固着することができる。
【００１３】
本発明請求項３記載の発明は、「上記保護層の裏面に所定の厚みを有して配設される遊技基板において、透明な合成樹脂層の厚みを薄くし、前記所定の厚さに至るまで、透明な合成樹脂層の裏面に非透光色の合成樹脂層を配設するように構成したことを特徴とする請求項１記載の遊技機の立体視可能な遊技盤」である。
【００１４】
「所定の厚さに至るまで、透明な合成樹脂層の裏面に非透光色の合成樹脂層を配設する」とは、射出成形機の固定型（コアとも称する）内に、裏面に保護層を塗着した立体視用合成画像シートを背面に接着したレンチキュラー板に固定させておき、最初は透明なＡＢＳ樹脂を射出し、次いでＡＢＳ樹脂に顔料を加えて非透光色とし、二度目の射出成形を行うことにより遊技基板の厚みを得ることである。透明な合成樹脂層の後方側に更に非透光色の合成樹脂層を射出して溶着することにより、非透光性の合成樹脂層前方端部で照明を行うと、光が機台後方側に拡散することがないため、遊技者は立体視用合成画像シートの図柄をより鮮やかに見ることができる。
【００１５】
本発明請求項４記載の発明は、「上記保護層の裏面に配設され遊技基板を構成する前項記載の非透光色の合成樹脂層の前端部に、側面発光型の光ファイバーを挿入可能な複数の溝をレンチキュラー板の裏面に平行に設けられるように構成したことを特徴とする請求項１記載の遊技機の立体視可能な遊技盤」である。
【００１６】
「側面発光型の光ファイバー」とは、通信用の光ファイバーと構成は同じで、コア材とクラッド材、及びクラッド材とコア材の中間に光反射層を形成した光ファイバーであり、このような光ファイバーの一方の端部から光を入れると、光がコア材とクラッド材の界面で全反射を起して、側面発光しながら他方端部まで伝送される。なお、光源はＬＥＤ等を光ファイバーの端部に置けばよく、カラフルな色を側面発光させることもできる。
【００１７】
【発明の実施の形態】
本発明の遊技機の立体視可能な遊技盤の実施の形態を図７から図１６を参考にして詳細に説明する。図７は立体視用合成画像シート裏面に保護層を塗装により形成する説明図、図８は立体視用合成画像シート裏面に保護層を印刷する説明図、図９はレンチキュラー板、立体視用合成画像シートに保護層を設けた構成図、図１０は射出成形機の可動型を固定型から分離した図、図１１は射出成形機の可動型内に立体視用合成画像シートを裏面に貼着したレンチキュラー板及び立体視用合成画像シートを固定した図、図１２は射出成形機の固定型に合成樹脂を注入して遊技基板を溶着した説明図、図１３は遊技盤を射出成形機から取り出した図、図１４は本発明の遊技盤の側面図、図１５は遊技基板を透光色と非透光色とで構成した説明図、図１６は本発明の光ファイバーを入れる溝を配置した遊技盤の側面図である。
【００１８】
図７において１３はレンチキュラー板であり、図示はしないがＰＭＭＡ樹脂を材料として射出成形機２０で成形される。なお、射出成形機２０で成形時に材料のＰＭＭＡ樹脂が及ばない箇所に後述の孔１３’が形成される。立体視用合成画像シート表面の外周端に接着剤１６を付け、立体視用合成画像シート１２をレンチキュラー板１３に貼付する。本発明の遊技盤１は、レンチキュラー板１３及び前記立体視用合成画像シート１２の裏面に合成樹脂製の遊技基板２ｂを配設することで構成される。立体視用合成画像シート１２の裏面に合成樹脂製の遊技基板２ｂを配設するには射出成形機２０を使用するため、この場合加熱され流動状態になった合成樹脂により該立体視用合成画像シート１２が損傷してしまう。これを防ぐために立体視用合成画像シート１２の裏面に保護層１７を設ける必要がある。図７ではスプレーガン１８によりＡＢＳ樹脂２１を材料とした粉体塗料１８ａをレンチキュラー板１３の裏面に塗装する状態を示す。塗装は保護層１７ａが所定の厚さになるまで回数を重ねる。
【００１９】
立体視用合成画像シート１２の裏面に施す保護層１７は、上記スプレーガン１８による粉体塗装で保護層１７ａを設ける他、シルク印刷によって行うこともできる。即ち、枠１９ｂに張り固定されたスクリーン１９ａ上に図示しないレジスト（版膜）を作り、レジストの上にＡＢＳ樹脂２１を含有したインキ１９ｃをスキージ１９（ゴム製のヘラ）で伸ばすと、インキ１９ｃがスクリーン１９ａを通って押し出されて、立体視用合成画像シート１２の裏面に印刷することができ、この印刷によって保護層１７ｂを形成するようにしてもよい（図８）。
【００２０】
図９に示すように立体視用合成画像シート１２の裏面に保護層１７が形成されると、保護層１７の裏面に合成樹脂製の遊技基板２ｂを溶着させるために、射出成形機２０の可動型２０ｂを移動させて、レンチキュラー板１３等（レンチキュラー板１３、レンチキュラー板１３に接着した立体視用合成画像シート１２）を該可動型２０ｂ内にセットし（図１０）、可動型２０ｂを再び固定型２０ａ方向に移動させ、可動型２０ｂ、固定型２０ａを図示しない型締め機構により一体とする。加熱されて流動状態になったＡＢＳ樹脂２１及び光拡散材（図示せず）をホッパー２０ｆから流入させ、モーター２０ｄによりシリンダー２０ｅを回転させて流動状態のＡＢＳ樹脂２１をノズル２０ｃ側に移送し、ノズル２０ｃからＡＢＳ樹脂２１を固定型２０ａの空洞部２０ａ’内に加圧注入する（図１１、図１２）。
【００２１】
固定型２０ａの空洞部２０ａ’内に光拡散材が混入したＡＢＳ樹脂２１（以下、ＡＢＳ樹脂２１等と称する）が加圧注入されるとＡＢＳ樹脂２１等が立体視用合成画像シート１２の裏面に塗着された保護層１７と互いに溶着する。そして、注入されたＡＢＳ樹脂２１等が金型内で固化すると合成樹脂製の遊技基板２ｂが形成される。可動型２０ｂを移動させて一体化した遊技盤１を取り出す（図１３）。
【００２２】
射出成形機２０の金型２０ａ、２０ｂから取り出された遊技盤１は、レンチキュラー板１３、レンチキュラー板１３に接着剤１６によって接着した立体視用合成画像シート１２、保護層１７及び遊技基板２ｂが一体化されており、射出成形時にＡＢＳ樹脂２１等が金型２０ｂの形状によって注入されなかった箇所は遊技部品を取り付けるための孔２２となる。前記レンチキュラー板１３から遊技基板２ｂまでが一体化したことにより、レンチキュラー板１３及び立体視用合成画像シート１２にそれぞれ設けた孔１２’、１３’と孔２２は連続した孔２３となり、孔２３には各種の遊技部品の本体部等が取付のために嵌挿される。遊技盤１はＡＢＳ樹脂２１のため釘２５の打設が可能である（図１５）。
【００２３】
上述したように、遊技基板２ｂは透明のＡＢＳ樹脂２１等のみで構成してもよいが、遊技基板２ｂの機台前方側を透明なＡＢＳ樹脂層２１ａ（この場合も光拡散材を混入するのが望ましい）を射出成形した後に、顔料を加えて非透光色にしたＡＢＳ樹脂層２１ｂを射出成形して遊技基板２ｂを製作すると、立体視用合成画像シート１２の図柄をより明瞭に見ることができる。また、この場合、図示しない側面発光可能な光ファイバーを配設するための溝２４を非透光色にしたＡＢＳ樹脂層２１ｂの前端部に設けると前方のＡＢＳ樹脂層２１ａを通して立体視合成画像シート１２の図柄を照明することができる（図１５、図１６）。また、図示はしないが前記溝２４を連続した孔にすれば、図１４の光拡散材の混入した透明なＡＢＳ樹脂等２１、図１５の透明なＡＢＳ樹脂層２１ａのいずれの箇所においても、側面発光する光ファイバーを配設することができる。本発明においては、遊技基板２ｂを製作するのにＡＢＳ樹脂２１を用いたが、上述のＰＥＴ樹脂でもよく、釘２５が打設でき、透光性を有する合成樹脂であれば使用可能である。
【００２４】
【発明の効果】
本発明によれば、レンチキュラー板、立体視用合成画像シートの機台後方側に配設する遊技基板を透光色を有する合成樹脂としたので、容易に立体視用合成画像シート全域を照明することができる。また、木製の遊技基板を使用した場合のように湿気が立体視用合成画像シートに付くこともなくなった。
【図面の簡単な説明】
【図１】パチンコ機の正面図である。
【図２】従来の装飾シートの斜視図である。
【図３】従来の遊技盤を構成する装飾シート及び木製の遊技基板の斜視図である。
【図４】従来の遊技盤の側面図である。
【図５】従来のレンチキュラー板による立体視を説明する図である。
【図６】従来の立体視可能な遊技盤の斜視図である。
【図７】立体視用合成画像シートに粉体塗装による保護層を設ける説明図である。
【図８】立体視用合成画像シートにシルク印刷により保護層を設ける説明図である。
【図９】本発明のレンチキュラー板、立体視用合成画像シートの構成図である。
【図１０】本発明のレンチキュラー板、立体視用合成画像シートを射出成形機にセットする説明図である。
【図１１】本発明のレンチキュラー板、立体視用合成画像シートを射出成形機の可動金型にセットしたことを示す説明図である。
【図１２】本発明の保護層の後方側に遊技基板を形成する説明図である。
【図１３】本発明の遊技盤を射出成形機から取り出す説明図である。
【図１４】本発明の遊技盤の側面図である。
【図１５】本発明の遊技基板製作につき別の実施例を示す図である。
【図１６】本発明の遊技盤に照明具を入れる溝を設けた図である。
【符号の説明】
１；遊技盤、２；遊技基板、２ａ；遊技基板（木製）、２ｂ；遊技基板（合成樹脂製）、３；装飾シート、４；接着剤、５；内レール、６；遊技領域、７；風車、８；入賞装置、９；表示ランプ、１０；孔、１１；切除部、１２；立体視用合成画像シート、１２’；孔、１３；レンチキュラー板、１３’；孔、１４；レンズ、１５；接着剤、１６；接着剤、１７；保護層、１７ａ；保護層（粉体塗装）、１７ｂ；保護層（シルク印刷）、１８；スプレーガン、１８ａ；粉体塗料、１９；スキージ、１９ａ；スクリーン、１９ｂ；枠、１９ｃ；インキ、２０；射出成形機、２０ａ；固定型、２０ａ’；空洞部、２０ｂ；可動型、２０ｃ；ノズル、２０ｄ；モーター、２０ｅ；シリンダー、２０ｆ；ホッパー、２１；ＡＢＳ樹脂、２１ａ；ＡＢＳ樹脂（透光色）、２１ｂ；ＡＢＳ樹脂（非透光色）、２２，２３；孔、２４；溝、２５：釘、Ｐ；ピッチ。
【図１】
2004065732.tif 000003
【図２】
2004065732.tif 000004
【図３】
2004065732.tif 000005
【図４】
2004065732.tif 000006
【図５】
2004065732.tif 000007
【図６】
2004065732.tif 000008
【図７】
2004065732.tif 000009
【図８】
2004065732.tif 000010
【図９】
2004065732.tif 000011
【図１０】
2004065732.tif 000012
【図１１】
2004065732.tif 000013
【図１２】
2004065732.tif 000014
【図１３】
2004065732.tif 000015
【図１４】
2004065732.tif 000016
【図１５】
2004065732.tif 000017
【図１６】
2004065732.tif 000018